(57)【要約】【課題】複数のサーバに保存される一連のデータを通信端末において速く受信することができる。【解決手段】データ中継装置１０のリンク情報変換処理部１３により、通信端末２０からのデータ送信要求に応じて第１データサーバ３０から送信されたデータに含まれる第２データサーバ４０のオブジェクトデータへのリンク情報に代えて、第１データサーバ３０へのダミーリンク情報が埋め込まれて通信端末２０に対して送信される。このダミーリンク情報を用いて通信端末２０から送信された第１データサーバ３０へのオブジェクトデータ送信要求に対し、リンク情報格納部１５に保持されるリンク情報とダミーリンク情報を対応付けた情報に基づき、第２データサーバ４０に保持されるオブジェクトデータが通信端末２０に送信され、第１データサーバ３０と第２データサーバ４０に保存される一連のデータが通信端末２０により速く受信される。【選択図】図１
2010102509.tif 000002
【特許請求の範囲】
【請求項１】
通信網に接続して通信を行う通信端末に対して複数のデータサーバから送信されるデータを送信するデータ中継装置であって、
前記通信端末から送信される、第１のデータサーバからのデータの送信を要求するデータ送信要求を受信するデータ送信要求受信手段と、
前記データ送信要求に基づいて、前記第１のデータサーバに対して前記データの送信要求を送信することによって、第２のデータサーバが保持するオブジェクトデータへのリンク情報が埋め込まれたデータを前記第１のデータサーバから受信するデータ受信手段と、
前記データに埋め込まれた第２のデータサーバが保持するオブジェクトデータへのリンク情報に対応付けて、第１のデータサーバへのダミーリンク情報を生成し、このダミーリンク情報を前記リンク情報に代えて前記データに埋め込むリンク情報変換処理手段と、
前記リンク情報変換処理手段によって前記ダミーリンク情報が埋め込まれた前記データを前記通信端末に対して送信するデータ送信手段と、
前記データに埋め込まれた前記リンク情報と、前記リンク情報変換処理手段で生成された前記ダミーリンク情報とを対応付けて保持するリンク情報格納手段と、
前記データに埋め込まれた前記ダミーリンク情報に基づいて前記通信端末から送信され、前記ダミーリンク情報を含む前記第１のデータサーバからのオブジェクトデータの送信を要求するオブジェクトデータ送信要求を受信するオブジェクトデータ送信要求受信手段と、
前記リンク情報格納手段に格納される前記データ送信要求に含まれる前記ダミーリンク情報に対応付けられた前記リンク情報に基づいて、前記第２のデータサーバに対してオブジェクトデータデータの送信要求を送信することによって、前記第２のデータサーバから送信されるオブジェクトデータを受信するオブジェクトデータ受信手段と、
前記オブジェクトデータ受信手段により受信された前記オブジェクトデータを前記通信端末に対して送信するオブジェクトデータ送信手段と、
を備えることを特徴とするデータ中継装置。
【請求項２】
前記通信端末、前記第１のサーバ、及び、前記第２のサーバとの間で、ＨＴＴＰを用いて送受信を行うことを特徴とする請求項１記載のデータ中継装置。
【請求項３】
通信網に接続して通信を行う通信端末に対して複数のデータサーバから送信されるデータを送信すると共にリンク情報格納手段を備えるデータ中継装置によるデータ中継方法であって、
前記通信端末から送信される、第１のデータサーバからのデータの送信を要求するデータ送信要求を受信するデータ送信要求受信ステップと、
前記送信要求に基づいて、前記第１のデータサーバに対して前記データの送信要求を送信することによって、第２のデータサーバが保持するオブジェクトデータへのリンク情報が埋め込まれたデータを前記第１のデータサーバから受信するデータ受信ステップと、
前記データに埋め込まれた第２のデータサーバが保持するオブジェクトデータへのリンク情報に対応付けて、第１のデータサーバへのダミーリンク情報を生成し、このダミーリンク情報を前記リンク情報に代えて前記データに埋め込むリンク情報変換処理ステップと、
前記リンク情報変換処理ステップにおいて前記ダミーリンク情報が埋め込まれた前記データを前記通信端末に対して送信するデータ送信ステップと、
前記データに埋め込まれた前記リンク情報と、前記リンク情報変換処理ステップにおいて生成された前記ダミーリンク情報とを対応付けてリンク情報格納手段に保持するリンク情報格納ステップと、
前記データに埋め込まれた前記ダミーリンク情報に基づいて前記通信端末から送信され、前記ダミーリンク情報を含む前記第１のデータサーバからのオブジェクトデータの送信を要求するオブジェクトデータ送信要求を受信するオブジェクトデータ送信要求受信ステップと、
前記リンク情報格納手段に格納される前記データ送信要求に含まれる前記ダミーリンク情報に対応付けられた前記リンク情報に基づいて、前記第２のデータサーバに対してオブジェクトデータの送信要求を送信することによって、前記第２のデータサーバから送信されるオブジェクトデータを受信するオブジェクトデータ受信ステップと、
前記オブジェクトデータ受信ステップにおいて受信された前記オブジェクトデータを、前記通信端末に対して送信するオブジェクトデータ送信ステップと、
を備えることを特徴とするデータ中継方法。
【発明の詳細な説明】
【技術分野】
【０００１】
本発明は、データ中継装置及びデータ中継方法に関する。
【背景技術】
【０００２】
通信端末がホームページ等のコンテンツデータを提供するサーバに対してデータ送信要求を送信して、サーバからコンテンツデータを受信する際には、ＨＴＴＰ（Hypertext  Transport  Protocol）が一般的に用いられる。ＨＴＴＰを用いた場合、データ送信要求とそれに対するサーバからのデータの送信とを１セットとして、これが繰り返されることによってデータの送受信が行われる。
【０００３】
しかしながら、無線パケット通信のような高遅延回線では、例えば多数の画像データが埋め込まれた一連のデータを取得する場合には、前述のデータの送受信のセットが何回も繰り返されるため、一連のデータを取得するまでの所要時間が長くなる。これに対して、非特許文献１では、ＨＴＴＰリクエストをパイプライン処理して送信することにより、サーバに対して第１のＨＴＴＰリクエスト（データ送信要求）を送信した後、当該リクエストに対応するデータが提供される前に、第２のＨＴＴＰリクエストを行うことによって、複数のデータの送受信に係る所要時間を短縮する「リクエストパイプライニング（ＨＴＴＰパイプライン）」に係る技術が記載されている。このリクエストパイプライニングは、ＲＦＣ（Request for Comments）２６１６において標準化されているパーシステントコネクション（PersistentConnections）を用いて実現される。
【非特許文献１】Network Working Group, Requestfor Comments: 2616 Hypertext Transfer Protocol -- HTTP/1.1, Fielding, et al., June1999
【発明の開示】
【発明が解決しようとする課題】
【０００４】
しかしながら、上記のリクエストパイプライニングは、通信端末とサーバとの間で１つの通信路（ＴＣＰコネクション）を設け、同一のサーバに対して複数のＨＴＴＰリクエストを送信してデータを受信する際には有効であるが、複数のサーバに対してＨＴＴＰリクエストを送信してデータを受信する際には、通信路をサーバ毎に改めて設けることが必要となり、パーシステントコネクションを用いることができない。したがって、例えばＨＴＭＬ文書に含まれる画像データがＨＴＭＬ文書とは異なるサーバに保存される場合等には、リクエストパイプライニングを用いることができず、当該サーバに対して新たに通信路を設けＨＴＴＰリクエストを送信して画像データ受信する送受信のセットを繰り返して画像データを取得する必要がある。このように、複数のサーバから一連のデータを受信する際には、リクエストパイプライニングを用いることができないという問題があった。
【０００５】
本発明は、上記を鑑みてなされたものであり、複数のサーバに保存される一連のデータを通信端末において速く受信することができるデータ中継装置及びデータ中継方法を提供することを目的とする。
【課題を解決するための手段】
【０００６】
上記目的を達成するため、本発明に係るデータ中継装置は、通信網に接続して通信を行う通信端末に対して複数のデータサーバから送信されるデータを送信するデータ中継装置であって、通信端末から送信される、第１のデータサーバからのデータの送信を要求するデータ送信要求を受信するデータ送信要求受信手段と、データ送信要求に基づいて、第１のデータサーバに対してデータの送信要求を送信することによって、第２のデータサーバが保持するオブジェクトデータへのリンク情報が埋め込まれたデータを第１のデータサーバから受信するデータ受信手段と、データに埋め込まれた第２のデータサーバが保持するオブジェクトデータへのリンク情報に対応付けて、第１のデータサーバへのダミーリンク情報を生成し、このダミーリンク情報をリンク情報に代えてデータに埋め込むリンク情報変換処理手段と、リンク情報変換処理手段によってダミーリンク情報が埋め込まれたデータを通信端末に対して送信するデータ送信手段と、データに埋め込まれたリンク情報と、リンク情報変換処理手段で生成されたダミーリンク情報とを対応付けて保持するリンク情報格納手段と、データに埋め込まれたダミーリンク情報に基づいて通信端末から送信され、ダミーリンク情報を含む第１のデータサーバからのオブジェクトデータの送信を要求するオブジェクトデータ送信要求を受信するオブジェクトデータ送信要求受信手段と、リンク情報格納手段に格納されるデータ送信要求に含まれるダミーリンク情報に対応付けられたリンク情報に基づいて、第２のデータサーバに対してオブジェクトデータデータの送信要求を送信することによって、第２のデータサーバから送信されるオブジェクトデータを受信するオブジェクトデータ受信手段と、オブジェクトデータ受信手段により受信されたオブジェクトデータを通信端末に対して送信するオブジェクトデータ送信手段と、を備えることを特徴とする。
【０００７】
また、本発明に係るデータ中継方法は、通信網に接続して通信を行う通信端末に対して複数のデータサーバから送信されるデータを送信すると共にリンク情報格納手段を備えるデータ中継装置によるデータ中継方法であって、通信端末から送信される、第１のデータサーバからのデータの送信を要求するデータ送信要求を受信するデータ送信要求受信ステップと、送信要求に基づいて、第１のデータサーバに対してデータの送信要求を送信することによって、第２のデータサーバが保持するオブジェクトデータへのリンク情報が埋め込まれたデータを第１のデータサーバから受信するデータ受信ステップと、データに埋め込まれた第２のデータサーバが保持するオブジェクトデータへのリンク情報に対応付けて、第１のデータサーバへのダミーリンク情報を生成し、このダミーリンク情報をリンク情報に代えてデータに埋め込むリンク情報変換処理ステップと、リンク情報変換処理ステップにおいてダミーリンク情報が埋め込まれたデータを通信端末に対して送信するデータ送信ステップと、データに埋め込まれたリンク情報と、リンク情報変換処理ステップにおいて生成されたダミーリンク情報とを対応付けてリンク情報格納手段に保持するリンク情報格納ステップと、データに埋め込まれたダミーリンク情報に基づいて通信端末から送信され、ダミーリンク情報を含む第１のデータサーバからのオブジェクトデータの送信を要求するオブジェクトデータ送信要求を受信するオブジェクトデータ送信要求受信ステップと、リンク情報格納手段に格納されるデータ送信要求に含まれるダミーリンク情報に対応付けられたリンク情報に基づいて、第２のデータサーバに対してオブジェクトデータの送信要求を送信することによって、第２のデータサーバから送信されるオブジェクトデータを受信するオブジェクトデータ受信ステップと、オブジェクトデータ受信ステップにおいて受信されたオブジェクトデータを、通信端末に対して送信するオブジェクトデータ送信ステップと、を備えることを特徴とする。
【０００８】
上記のデータ中継装置及びデータ中継方法によれば、第２のデータサーバが保持するオブジェクトデータへのリンク情報が埋め込まれた第１のデータサーバから送信されたデータに含まれるリンク情報に代えて、データ中継装置において第１のデータサーバへのダミーリンク情報が生成され、埋め込まれて通信端末に対して送信される。したがって、通信端末では、データに含まれるダミーリンク情報に基づいて、データの送信元と同じ第１のデータサーバに対してオブジェクトデータ送信要求を送信すると認識される。したがって、通信端末からは連続的にオブジェクトデータ送信要求が送信される。一方、データ中継装置では、リンク情報格納手段においてリンク情報とダミーリンク情報を対応付けた情報が格納されるため、ダミーリンク情報を用いて通信端末から送信された第１のデータサーバへのオブジェクトデータ送信要求に対しても、適切に第２のデータサーバへオブジェクトデータの送信を要求し、第２のデータサーバから送信されたオブジェクトデータを通信端末に送信することができる。このように、第１のデータサーバと第２のデータサーバとに保存される一連のデータが、通信端末において従来と比して速く受信される。
【０００９】
ここで、上記作用を効果的に奏する構成として、具体的には、データ中継装置は、通信端末、第１のサーバ、及び、第２のサーバとの間で、ＨＴＴＰを用いて送受信を行うことが挙げられる。
【発明の効果】
【００１０】
本発明によれば、複数のサーバに保存される一連のデータを通信端末において速く受信することができるデータ中継装置及びデータ中継方法が提供される。
【発明を実施するための最良の形態】
【００１１】
以下、添付図面を参照して、本発明を実施するための最良の形態を詳細に説明する。
【００１２】
図１は本発明の好適な実施形態に係るデータ中継装置を含む通信システム１の構成を示す図である。図１に示す通信システム１は、データ中継装置１０と、移動体通信網Ｎ１を介してデータ中継装置１０に対して接続して通信を行う通信端末２０と、データ中継装置１０とインターネット網Ｎ２を介して接続する第１データサーバ３０及び第２データサーバ４０と、を含んで構成される。なお、移動体通信網Ｎ１とは、例えば、通信端末２０がパケット通信を行うために通信事業者等により提供されるネットワークである。また、インターネットＮ２とは、通信プロトコルＴＣＰ／ＩＰ（Transmission Control Protocol / Internet Protocol）を用いて接続されたネットワークである。
【００１３】
データ中継装置１０は、通信端末２０が移動体通信網Ｎ１を介した通信によって、第１データサーバ３０や第２データサーバ４０からのデータを取得する際に、通信端末２０と第１データサーバ３０及び第２データサーバ４０との間に通信路（ＴＣＰコネクション）を設け、当該通信路を介してＨＴＴＰを用いたデータの送受信を中継する装置（HTTP Proxyサーバ）である。そして、データ中継装置１０は、通信端末２０からの要求に基づいて、第１データサーバ３０及び第２データサーバ４０において保持されるデータを、自装置を介して通信端末２０に対して送信する機能を有する。また、データ中継装置１０は、移動体通信網Ｎ１とインターネットＮ２とを接続するＧＷ（Gateway）装置としての機能を更に備える。
【００１４】
なお、本実施形態における「データ」とは、例えば、音声データ、画像データ、ＨＴＭＬ（HyperText Markup Language）によって記述された文書データ、等を示す。また、本実施形態における「一連のデータ」とは、例えば、ＨＴＭＬにより記述された一つのＨＴＭＬ文書のデータ（ウェブページ）と、当該文書データ中に埋め込まれたリンク情報によって特定されるオブジェクトデータ（画像データ等）と、を含む複数のデータをいう。すなわち、ＨＴＭＬ文書データに含まれる情報をユーザに対して出力するために、通信端末２０において、ＨＴＭＬ文書データと併せて取得される必要のある複数のデータを、一連のデータという。ここで、上記の「リンク情報」には、文書データ中に埋め込まれたオブジェクトデータが保持されるデータサーバを特定する情報と、当該データサーバに保持されるデータのうち、オブジェクトデータを特定する情報と、が含まれる。なお、本実施形態における「一連のデータ」には、ＨＴＭＬ文書中に記載されるリンク情報により特定される他のＨＴＭＬ文書（ウェブページ）は含まれない。ＨＴＭＬ文書中に記載されるリンク情報がそれぞれ「一連のデータ」を特定する情報に該当するかどうかは、例えばＨＴＭＬ文書中のタグが特定のタグであるかどうかにより判断される。
【００１５】
通信端末２０とデータ中継装置１０との間は、移動体通信網Ｎ１を介して、無線通信により情報の交換が行われるが、有線のネットワークを介した通信を行ってもよい。またデータ中継装置１０と第１データサーバ３０との間、及び、データ中継装置１０と第２データサーバ４０との間は、それぞれ有線のネットワークを介して接続される。また、データ中継装置１０と、通信端末２０、第１データサーバ３０及び第２データサーバ４０との間は、それぞれＨＴＴＰを用いた情報の送受信が行われる。
【００１６】
なお、図１では、データ中継装置１０に対して一台の通信端末２０が接続されるが、実際には複数の通信端末が接続される。また、データ中継装置１０と接続するサーバとして第１データサーバ３０及び第２データサーバ４０のサーバが示されているが、実際には２台以上のサーバが配置されている。本実施形態では、複数のサーバから一連のデータを通信端末２０に送信する例として、上記の一連のデータのうち、ＨＴＭＬにより記述された文書データが第１データサーバ３０に格納され、この文書データに含まれるオブジェクトデータが第２データサーバ４０に格納される場合について説明する。
【００１７】
次に、通信システム１に含まれる各装置の詳細について説明する。通信端末２０は、通信端末２０の所有者（ユーザ）に用いられて、移動体通信網Ｎ１対して接続して通信を行って第１データサーバ３０及び第２データサーバ４０から送信されるデータを受信し、当該データをモニタ等に出力することによりユーザが閲覧する際に用いられる端末であり、具体的には、例えば、携帯電話、ＰＤＡ（Personal Digital Assistance）等の通信機能を有する装置として実現される。着信端末５０は、ＣＰＵ、メモリ、モニタ、通信モジュール等のハードウェアにより構成される。本実施形態では、移動体通信網Ｎ１に接続する通信端末２０について説明しているが、通信端末２０は必ずしも携帯性があるものでないものでも構わない。また、移動体通信網Ｎ１に代えて有線のネットワークとしてもよい。
【００１８】
本実施形態では、ユーザの操作によって、通信端末２０から第１データサーバ３０において保持されるデータの送信要求（ＨＴＴＰリクエスト）が、移動体通信網Ｎ１を介してデータ中継装置１０に対して送信される。さらに、上記のデータ送信要求に基づいて第１データサーバ３０からデータ中継装置１０を介して送信されたデータを受信する。そして、当該データに埋め込まれたリンク情報を参照し、当該リンク情報で特定されるオブジェクトデータの送信要求をデータ中継装置１０に対して送信することで、オブジェクトデータを受信する。これによって、通信端末２０では、第１データサーバ３０から送信されるデータを含む一連のデータが取得され、この一連のデータがユーザに対して出力される。なお、上述のデータ送信要求及びオブジェクトデータ送信要求には、データを特定する情報とデータが保存されるデータサーバを特定する情報（例えば、ドメイン）と含み、例えばＵＲＬ（Uniform Resource Locator）により記述された情報が含まれる。
【００１９】
第１データサーバ３０及び第２データサーバ４０は、通信端末２０に対して送信するデータを格納する装置である。そして、データ中継装置１０を介して通信端末２０から送信される送信要求に応じて、インターネットＮ２を介した通信によりデータを送信する機能を有する。第１データサーバ３０及び第２データサーバ４０は、具体的には、ＨＴＭＬにより記述された文書データ（ウェブページ）や、当該ウェブページで用いられる画像データ等のオブジェクトデータ等を格納しておき、通信端末２０からの送信要求に応じて送信するウェブサーバ等が相当する。なお、第１データサーバ３０や第２データサーバ４０に格納されるデータは、それぞれのサーバの管理者等により作成及び格納される。
【００２０】
データ中継装置１０は、本発明の特徴をなす装置であり、上述のように移動体通信網Ｎ１を介して通信端末２０から送信されるデータ送信要求及びオブジェクトデータ送信要求等の送信要求を受信し、当該送信要求に基づいて第１データサーバ３０及び第２データサーバ４０等のサーバからデータを取得し、当該データを通信端末２０に対して送信する機能を有する。データ中継装置１０は、通信端末２０から送信されるデータ送信要求に基づいて第１データサーバ３０から取得したデータに埋め込まれ、第２データサーバ４０において保持されるオブジェクトデータを特定するリンク情報を、第１データサーバ３０を特定するダミーリンク情報に変更し通信端末２０に送信する。そして、当該データに埋め込まれたダミーリンク情報に基づいて通信端末２０から送信されるオブジェクトデータ送信要求を受信し、第２データサーバ４０に対してオブジェクトデータの送信要求を行い、第２データサーバ４０からオブジェクトデータを取得し、通信端末２０に対して送信する機能を有する。なお、この処理の詳細については後述する。
【００２１】
ここで「ダミーリンク情報」について説明する。ダミーリンク情報とは、通信端末２０がリクエストパイプライニングを用いてオブジェクトデータ送信要求を連続的に送信することができるように、データ中継装置１０において新たに生成される情報である。上述のように、リンク情報には、文書データ中に埋め込まれたオブジェクトデータが保持されるデータサーバを特定する情報と、当該データサーバに保持されるデータからオブジェクトデータを特定する情報と、が含まれるが、通信端末２０がリクエストパイプライニングを用いてオブジェクトデータ送信要求を送信するためには、当該オブジェクトデータが保持されるデータサーバが、ＨＴＭＬ文書データが保持されるデータサーバと同じであることが必要である。したがって、データ中継装置１０において、第１データサーバ３０から送信されたデータに含まれるオブジェクトデータへのリンク情報に含まれるデータサーバを特定する情報が、第１データサーバ３０と異なるものと判断された場合、当該データサーバを特定する情報がデータの送信元と一致する情報（本実施形態では、第１データサーバ３０）に書き換えられたものがダミーリンク情報として生成される。そして、通信端末２０に送信するデータにリンク情報に代えて埋め込まれて、通信端末２０に対して送信される。
【００２２】
上記のデータ中継装置１０、第１データサーバ３０及び第２データサーバ４０は、図２に示すように、ＣＰＵ（Central Processing Unit）１０１、主記憶装置であるＲＡＭ（Random Access Memory）１０２及びＲＯＭ（ReadOnly Memory）１０３、通信を行うための通信モジュール１０４、並びにハードディスク等の補助記憶装置１０５等のハードウェアを備えるコンピュータとして構成される。そして、これらの構成要素が動作することにより、各装置１０，３０及び４０の各機能が発揮される。
【００２３】
続いて、データ中継装置１０を構成する各部の機能について説明する。データ中継装置１０は、図１に示すように、データ送信要求受信部１１、データ受信部１２、リンク情報変換処理部１３、データ送信部１４、リンク情報格納部１５、オブジェクトデータ送信要求受信部１６、オブジェクトデータ受信部１７、及びオブジェクトデータ送信部１８を含んで構成される。
【００２４】
データ送信要求受信部１１は、通信端末２０から移動体通信網Ｎ１を介して送信される第１データサーバ３０からのデータの送信を要求するデータ送信要求を受信するデータ送信要求受信手段として機能する。具体的には、まず、データ送信要求受信部１１に対してデータ送信要求を送信するために通信端末２０から送信される通信路の開設要求に基づいて、データ中継装置１０と通信端末２０との間で通信路（ＴＣＰコネクション）を設ける処理が行われる。その後、データ送信要求受信部１１では、当該通信路を介して通信端末２０から送信されるデータ送信要求が受信される。データ送信要求受信部１１により受信されたデータ送信要求は、データ受信部１２へ送られる。
【００２５】
データ受信部１２は、通信端末２０から送信されるデータ送信要求に基づいて、第１データサーバ３０に対してデータの送信要求を送信することによって、第２データサーバ４０において保持されるオブジェクトデータへのリンク情報が埋め込まれたデータを第１データサーバ３０から受信するデータ受信手段として機能する。具体的には、通信端末２０から送信されるデータ送信要求に含まれるデータの保存先を特定する情報（例えば、ＵＲＬのドメイン）に基づいて第１データサーバ３０において当該データが保持されることを確認する。次に、データ受信部１２から第１データサーバ３０に対して、通信路を開設要求が送信され、データ中継装置１０と第１データサーバ３０との間に通信路を設ける処理が行われる。そして、この通信路を用いて、データ受信部１２から第１データサーバ３０に対してデータ名を特定したデータの送信要求が送信される。そして、当該送信要求に基づき第１データサーバ３０から送信される当該ＵＲＬに対応するデータ（ＨＴＭＬ文書）が受信される。このデータには、例えばＵＲＬにより記述された、第２データサーバ４０に格納されるオブジェクトデータを特定するリンク情報が埋め込まれている。データ受信部１２により受信されたデータは、リンク情報変換処理部１３へ送られる。
【００２６】
リンク情報変換処理部１３は、上記データに埋め込まれた第２データサーバ４０が保持するオブジェクトデータへのリンク情報に対応付けて、第１データサーバ３０へのダミーリンク情報を生成し、このダミーリンク情報を上記リンク情報に代えてデータに埋め込むリンク情報変換処理手段として機能する。具体的には、データ受信部１２により受信されたデータの構文解析を行い、画像データ等のオブジェクトデータに対するリンク情報を抽出する。そして、データに埋め込まれているＵＲＬにより記述されたリンク情報に含まれるオブジェクトデータの保存先のデータサーバを特定する情報が、当該データの送信元（第１データサーバ３０）と一致するどうかが判断される。上記の判断は、当該データの送信元であるデータサーバと一致するかで判断することができるほか、例えば、データ送信要求受信部１１により受信された通信端末２０からのデータ送信要求に含まれるデータの保存先を特定する情報と一致するかどうかによって判断することもできる。
【００２７】
ここで、例えば、第２データサーバ４０を示すドメインが記載されている場合には、リンク情報変換処理部１３では、このドメインが第１データサーバ３０に書き換えられたダミーリンク情報が生成され、リンク情報と置き換えられることによって、データに埋め込まれる。これによって、オブジェクトデータの保存場所が、第２データサーバ４０であることを示すリンク情報から、第１データサーバ３０であることを示すダミーリンク情報に変換される。なお、リンク情報変換処理部１３によりダミーリンク情報の生成及び置換が行われるリンク情報とは、オブジェクトデータ等に対するリンク情報のみであり、例えば、他のウェブページへのリンク情報に対しては置換が行われない。
【００２８】
上記のようにリンク情報が変換された変換後のデータは、リンク情報変換処理部１３からデータ送信部１４へ送られる。また、第１データサーバ３０から送信されたデータに埋め込まれたリンク情報及びリンク情報変換処理部１３において生成されたダミーリンク情報は、リンク情報格納部１５に送られる。
【００２９】
データ送信部１４は、リンク情報変換処理部１３においてダミーリンク情報が埋め込まれた変換後のデータを、データ送信要求を送信した通信端末２０に対して送信するデータ送信手段として機能する。データ送信部１４が変換後のデータを送信することによって、通信端末２０ではデータ送信要求に対するデータが受信される。
【００３０】
リンク情報格納部１５は、第１データサーバ３０から送信されたデータに埋め込まれたリンク情報と、リンク情報変換処理部１３により生成されたダミーリンク情報と、を対応付けて格納するリンク情報格納手段として機能する。リンク情報格納部１５において格納される情報は、後述の処理に用いられる。なお、リンク情報格納部１５に格納される情報は、通信端末２０が第１データサーバ３０との間で通信路（ＴＣＰコネクション）を設け、第１データサーバ３０からＨＴＭＬ文書（データ）を取得する際に作成され、通信端末２０と第１データサーバ３０との間の通信路が切断される際に破棄される。
【００３１】
オブジェクトデータ送信要求受信部１６は、データ送信部１４により送信されたデータに埋め込まれているダミーリンク情報に基づいて通信端末２０から送信されるオブジェクトデータ送信要求を受信するオブジェクトデータ送信要求受信手段として機能する。このオブジェクトデータ送信要求には、データ送信部１４により送信されたデータに埋め込まれたダミーリンク情報が含まれる。このダミーリンク情報には、前述のようにオブジェクトデータの保存場所が第１データサーバ３０であることを示す情報が含まれる。したがって、オブジェクトデータ送信要求受信部１６では、通信端末２０から送信される第１データサーバ３０において保存されるオブジェクトデータに対する送信要求が受信される。オブジェクトデータ送信要求受信部１６により受信されたオブジェクトデータ送信要求は、オブジェクトデータ受信部１７へ送られる。
【００３２】
オブジェクトデータ受信部１７では、前述のリンク情報格納部１５を参照し、オブジェクトデータ送信要求に含まれるダミーリンク情報に対応付けて格納されたリンク情報を取得し、当該リンク情報に基づいて、第２データサーバ４０に対してオブジェクトデータの送信要求を行う。そして、当該送信要求に基づいて第２データサーバ４０から送信されるオブジェクトデータを取得するオブジェクトデータ受信手段として機能する。具体的には、オブジェクトデータ送信要求に含まれるダミーリンク情報に対応付けて、リンク情報格納部１５において格納されるリンク情報を取得する。次に、当該リンク情報により特定されるデータサーバ（本実施形態では第２データサーバ４０）に対してオブジェクトデータ受信部１７から通信路を開設要求が送信され、データ中継装置１０と第２データサーバ４０との間に通信路を設ける処理が行われる。そして、この通信路を用いて、オブジェクトデータ受信部１７からオブジェクトデータの送信要求が行われ、第２データサーバ４０から送信されるオブジェクトデータが受信される。オブジェクトデータ受信部１７により受信されたオブジェクトデータは、オブジェクトデータ送信部１８へ送られる。
【００３３】
オブジェクトデータ送信部１８は、オブジェクトデータ受信部１７により受信されたオブジェクトデータを通信端末２０に対して送信するオブジェクトデータ送信手段として機能する。このオブジェクトデータは、通信端末２０から送信されたオブジェクトデータ送信要求に対応して送信されるものである。通信端末２０から送信されたオブジェクトデータ送信要求には、前述のように、第１データサーバ３０にオブジェクトデータが格納されることを示すダミーリンク情報が含まれる。したがって、オブジェクトデータ送信部１８から通信端末２０に対してオブジェクトデータを送信する際には、必要に応じて、オブジェクトデータ送信部１８において、オブジェクトデータの送信元が第２データサーバ４０から第１データサーバ３０に変更される。
【００３４】
このように、データ中継装置１０に含まれる各部がそれぞれ上記のように機能することにより、通信端末２０から送信されたＨＴＴＰリクエストに基づいて、第１データサーバ３０から送信されるデータを含む一連のデータが通信端末２０において取得され、この一連のデータがユーザに対して出力される。
【００３５】
次に、前述のデータ中継装置１０によるデータ中継方法について、図３に示すシーケンス図を用いて説明する。ここでは、通信端末２０によりデータ送信要求が送信されるデータとは、第１データサーバ３０に格納されるＨＴＭＬ文書であり、当該ＨＴＭＬ文書にはリンク情報が３つ埋め込まれ、各リンク情報はそれぞれ第２データサーバ４０に格納される画像データを示す情報である場合のデータ中継装置１０によるデータ中継方法について説明する。
【００３６】
なお、以下の説明では、第１データサーバ３０のドメインとして「www.foobar.com」を用い、第２データサーバ４０のドメインとして「cache1.foobar.com」を用いて説明する。
【００３７】
まず、通信端末２０からデータ中継装置１０に対して第１データサーバ３０に格納されるファイル名「index.html」で特定されるＨＴＭＬ文書に対するデータ送信要求（ＨＴＴＰリクエスト）が送信され、データ中継装置１０のデータ送信要求受信部１１により受信される（Ｓ０１、データ送信要求受信ステップ）。具体的には、上述のように、まず通信端末２０とデータ中継装置１０との間で通信路を開設する処理がなされた後に、この通信路を介してデータの送信要求が送信される。このデータ送信要求の送信に係る処理は、通信端末２０のユーザが通信端末２０を操作することにより行われる。ここで通信端末２０から送信されるデータ送信要求としては、「Get=”http://www.foobar.com/index.html”」のように、第１データサーバ３０のドメインとデータを特定するファイル名（index.html）を含むＵＲＬが用いられる。データ送信要求受信部１１において受信されたデータ送信要求は、データ受信部１２に送られ、データ受信部１２によりデータ中継装置１０と第１データサーバ３０との間の通信路を開設する処理が行われた後、データ受信部１２から第１データサーバ３０に対してデータの送信が要求される（Ｓ０２、データ受信ステップ）。
【００３８】
次に、データ受信部１２において、データ中継装置１０から送信されたデータの送信の要求に基づき、第１データサーバ３０から「Response=index.html」として送信されるデータが受信され（Ｓ０３、データ受信ステップ）、リンク情報変換処理部１３へ送られる。
【００３９】
ここで、データ受信部１２により受信されたデータの例を図４（Ａ）に示す。本データ中継方法において、第１データサーバ３０から送信されるデータＤ１０（ファイル名：index.html）には、３つのリンク情報Ｄ１０ａ，Ｄ１０ｂ，Ｄ１０ｃが埋め込まれている。リンク情報Ｄ１０ａ〜ｃでは、それぞれ第２データサーバ４０（ドメイン：cache1.foobar.com）に画像データ（ファイル名：001.jpg，002.jpg，003.jpg）が格納されていることが示される。なお、図４（Ａ）には図示しないが、これらのリンク情報は、タグ「<imgsrc=“  ”>」で囲まれていることで、画像データへのリンク情報ということがリンク情報変換処理部１３により認識される。また、このリンク情報が上記のタグにより囲まれていることにより、この画像データが、ＨＴＭＬ文書であるデータＤ１０を含んで構成される上述の「一連のデータ」に含まれることが判断される。
【００４０】
次に、データ受信部１２からリンク情報変換処理部１３へ送られたデータＤ１０に埋め込まれたリンク情報は、リンク情報変換処理部１３において、それぞれのリンク情報に対応するダミーリンク情報が生成され、リンク情報に代えてデータＤ１０に埋め込まれる（Ｓ０４：リンク情報変換処理ステップ）。リンク情報変換処理部１３によるリンク情報変換処理（Ｓ０４）は、上記のようにリンク情報であることが分かるタグに囲まれ、かつ当該リンク情報により特定されるオブジェクトデータの保存先のデータサーバが第１データサーバ３０ではないリンク情報に対して行われる。
【００４１】
ここで、リンク情報変換処理部１３によりダミーリンク情報が生成され、埋め込まれた後のデータＤ１１の例を図４（Ｂ）に示す。本実施形態のデータ中継装置１０において、リンク情報変換処理部１３により生成されるダミーリンク情報は、ドメインを第２データサーバ４０から第１データサーバ３０に変更し、画像データのファイル名は変更しないものである。したがって、リンク情報Ｄ１０ａに対して、第２データサーバ４０のドメイン（cache1.foobar.com）を第１データサーバ３０のドメイン（www.foobar.com）に置換したダミーリンク情報Ｄ１１ａが生成され、リンク情報Ｄ１０ａに代えて埋め込まれる。同様に、変換前のデータＤ１０のリンク情報Ｄ１０ｂ，Ｄ１０ｃに代えてダミーリンク情報Ｄ１１ｂ，Ｄ１１ｃがそれぞれ生成され、埋め込まれる。
【００４２】
さらに、上記のリンク情報とダミーリンク情報を対応付けた情報がリンク情報格納部１５に格納される（リンク情報格納ステップ）。図５は、本実施形態に係るデータ中継方法において、リンク情報格納部１５に格納される情報の例を示す図である。図５に示すように、リンク情報格納部１５では、リンク情報が埋め込まれたデータ（ＨＴＭＬ文書）を特定する情報として、データのＵＲＬ（http://www.foobar.com/index.html）が用いられる。そして、当該データに含まれるリンク情報（変換前）とリンク情報に対応付けて埋め込まれたダミーリンク情報（変換後）とが対応付けて格納される。
【００４３】
上記の処理が行われた後、ダミーリンク情報が埋め込まれたデータがリンク情報変換処理部１３からデータ送信部１４に送られる。
【００４４】
データ送信部１４は、ダミーリンク情報が埋め込まれたデータをリンク情報変換処理部１３から取得し、データ送信要求を送信した通信端末２０に対して送信する（Ｓ０５、データ送信ステップ）。
【００４５】
続いて、ダミーリンク情報が埋め込まれたデータを受信した通信端末２０から送信されるオブジェクトデータ送信要求（ＨＴＴＰリクエスト）が、データ中継装置１０のオブジェクトデータ送信要求受信部１６により受信される（Ｓ０６ａ〜ｃ、オブジェクトデータ送信要求受信ステップ）。このオブジェクトデータ送信要求は、３つのオブジェクトデータに対してそれぞれ個別に行われる。
【００４６】
ここで、通信端末２０では、変換後のデータに埋め込まれた第１データサーバ３０に対するダミーリンク情報に基づいてオブジェクトデータ送信要求を送信する。すなわち、通信端末２０にとって、このオブジェクトデータ送信要求は、データ送信要求（Ｓ０１）の要求対象となる第１データサーバ３０と同一のデータサーバに対する送信要求であるので、リクエストパイプライニングを用いて通信端末２０から送信される。したがって、通信端末２０からは、１つのオブジェクトデータ送信要求を送信して、当該オブジェクトデータ送信要求に対してデータ中継装置１０を介して送信されるオブジェクトデータを受信した後に次のオブジェクトデータ送信要求を送信するのではなく、複数のオブジェクトデータ送信要求が一斉に通信端末２０から送信される（Ｓ０６ａ〜ｃ）。なお、通信端末２０からオブジェクトデータ送信要求としては、「Get=”http://www.foobar.com/001.jpg”」（Ｓ０６ａ）のように、ダミーリンク情報として通信端末２０に対して送信されたオブジェクトデータのＵＲＬが用いられる。オブジェクトデータ送信要求受信部１６により受信されたオブジェクトデータ送信要求は、オブジェクトデータ受信部１７に送られる。
【００４７】
オブジェクトデータ受信部１７では、オブジェクトデータ送信要求受信部１６により受信された各オブジェクトデータ送信要求に対して、前述のリンク情報格納部１５に格納される情報を参照し、各ダミーリンク情報に対応付けて格納されたリンク情報を取得する（Ｓ０７、オブジェクトデータ受信ステップ）。例えば、通信端末２０から送信されたオブジェクトデータ送信要求「Get=”http://www.foobar.com/001.jpg”」（Ｓ０６ａ）に含まれるダミーリンク情報（変換後）のＵＲＬ「http://www.foobar.com/001.jpg」に対して、図５に示す表では変換前のリンク情報のＵＲＬ「http://cache1.foobar.com/001.jpg」が格納されているので、当該ＵＲＬが変換前のリンク情報であることがオブジェクトデータ受信部１７により確認される。また、オブジェクトデータ受信部１７では、通信端末２０により受信された他のオブジェクトデータ送信要求（Ｓ０６ｂ，Ｓ０６ｃ）に対しても、リンク情報格納部１５に格納される情報を参照し、オブジェクトデータ送信要求に含まれるＵＲＬに示されるダミーリンク情報に対応付けられたリンク情報が確認される。
【００４８】
次に、オブジェクトデータ受信部１７では、上記で確認されたリンク情報に基づいて、データ中継装置１０と第２データサーバ４０との間で通信路を設ける処理が行われた後、この通信路を介して第２データサーバ４０に対してオブジェクトデータの送信が要求される（Ｓ０８ａ〜ｃ、オブジェクトデータ受信ステップ）。具体的には、例えば前述のリンク情報の確認（Ｓ０７）において、リンク情報のＵＲＬ「http://www.foobar.com/001.jpg」が確認された場合には、当該ＵＲＬを用いたオブジェクトデータの送信要求「Get=”http://cache1.foobar.com/001.jpg”」（Ｓ０８ａ）がオブジェクトデータ受信部１７から第２データサーバ４０に対して送信される。また、通信端末２０より受信されオブジェクトデータ受信部１７においてリンク情報が確認された他のオブジェクトデータ送信要求に基づいても、オブジェクトデータ受信部１７から第２データサーバ４０に対してオブジェクトデータの送信要求が送信される（Ｓ０８ｂ，Ｓ０８ｃ）。
【００４９】
オブジェクトデータ受信部１７では、これらのオブジェクトデータ送信要求に基づいて第２データサーバ４０から送信されるオブジェクトデータを受信する（Ｓ０９ａ〜ｃ、オブジェクトデータ受信ステップ）。例えば、オブジェクトデータ受信部１７により送信されたファイル名「001.jpg」で示されるオブジェクトデータの送信要求（Ｓ０８ａ）に対しては、第２データサーバ４０から「Response=001.jpg」として、対応するオブジェクトデータが送信されるので、オブジェクトデータ受信部１７は当該オブジェクトデータを受信する。同様に、他のオブジェクトデータの送信要求（Ｓ０８ｂ，Ｓ０８ｃ）に対しても、それぞれオブジェクトデータが第２データサーバ４０から送信され、オブジェクトデータ受信部１７ではこれらが受信される（Ｓ０９ｂ，Ｓ０９ｃ）。オブジェクトデータ受信部１７により受信されたオブジェクトデータは、オブジェクトデータ送信部１８に送られる。
【００５０】
そして、オブジェクトデータ送信部１８では、オブジェクトデータ受信部１７から送られたオブジェクトデータが通信端末２０に対して送信される（Ｓ１０ａ〜ｃ、オブジェクトデータ送信ステップ）。ここで、オブジェクトデータ送信部１８により通信端末２０に対して送信されるオブジェクトデータは前述のように第２データサーバ４０から送信された（Ｓ０９ａ〜Ｓｃ）ものであるが、通信端末２０から送信されたオブジェクトデータ送信要求（Ｓ０６ａ〜ｃ）は第１データサーバ３０に対するものであった。そのため、通信端末２０に対して送信されるオブジェクトデータが、通信端末２０から送信されたオブジェクトデータ送信要求に対してデータ中継装置１０から送信されたオブジェクトデータであることを、通信端末２０において認識されるように、オブジェクトデータ送信部１８において、必要に応じて、オブジェクトデータの送信元が第１データサーバ３０に書き換えて送られる。
【００５１】
以上の処理により、通信端末２０では、ＨＴＭＬ文書（index.html）と、当該ＨＴＭＬ文書に埋め込まれたオブジェクトデータ（001.jpg，002.jpg，003.jpg）と、を含む一連のデータが取得され、当該一連のデータがモニタ等に出力されることによって、通信端末２０のユーザが当該一連のデータを閲覧することができる。これにより、本実施形態に係るデータ中継方法に係る処理が終了する。
【００５２】
なお、上記の処理において、データ中継装置１０と通信端末２０との間、データ中継装置１０と第１データサーバ３０との間、データ中継装置１０と第２データサーバ４０との間にそれぞれ開設された通信路は、使用が終了されると、通信路開設を要求した装置から通信路の切断要求が送信されることによって通信路の切断処理が行われる。具体的には、データ中継装置１０と通信端末２０との間の通信路の切断要求は、通信路開設要求を送信した通信端末２０からデータ中継装置１０に対して送信される。同様に、データ中継装置１０と第１データサーバ３０との間の通信路及びデータ中継装置１０と第２データサーバ４０との間の通信路の切断要求は、データ中継装置１０によって送信される。
【００５３】
前述の本実施形態に係るデータ中継装置１０及びデータ中継装置１０によるデータ中継方法による効果について説明する。
【００５４】
まず、通信端末２０がリクエストパイプライニングにより一連のデータを取得する従来の方法について説明する。従来、通信端末２０がＨＴＭＬ文書を含む一連のデータを取得する場合には、まずＨＴＭＬ文書を受信した後、構文解析を行うことで埋め込まれたリンク情報を取得する。続いて、当該リンク情報を用いて、各オブジェクトデータについてオブジェクトデータ送信要求を送信してオブジェクトデータが取得される。ここで、通信端末２０がＨＴＭＬ文書に含まれるオブジェクトデータに関するオブジェクトデータ送信要求（ＨＴＴＰリクエスト）を送信する場合、リクエストパイプライニングにより、ＨＴＴＰリクエストに対応するオブジェクトデータの取得完了を待たずに連続的にデータサーバに対して送信することができる。一方、データサーバ側では、連続的に送信されたＨＴＴＰに対して連続的にオブジェクトデータが送信される。これにより、通信端末２０におけるオブジェクトデータの受信が高速に行われる。
【００５５】
ただし、上記のようにリクエストパイプライニングを行うためには、データサーバとの間で設けられたパーシステントコネクションを用いる必要がある。このパーシステントコネクションは、通信端末２０がＨＴＭＬ文書を取得する際にデータサーバとの間で設けられるため、例えば、本実施形態のように、ＨＴＭＬ文書が第１データサーバ３０に保持され、当該ＨＴＭＬ文書に含まれるオブジェクトデータが第２データサーバ４０に保持される場合には、オブジェクトデータを取得する際に第２データサーバ４０との間で新たな通信路（ＴＣＰコネクション）を設ける必要があり、パーシステントコネクションが利用できない。したがって、リクエストパイプライニングを行うことができず、通信端末２０において一連のデータを効率よく取得することができないという問題があった。
【００５６】
本実施形態では、データ中継装置１０において第２データサーバ４０に対するリンク情報を、第１データサーバ３０に対するダミーリンク情報に置き換えることで上記問題が解決された。すなわち、通信端末２０において受信されるＨＴＭＬ文書（データ）に含まれるオブジェクトデータに関する情報を、データ中継装置１０のリンク情報変換処理部１３において第１データサーバ３０に対するダミーリンク情報へ変換することで、通信端末２０ではオブジェクトデータは第１データサーバ３０に保持されると認識される。このため、通信端末２０では、第１データサーバ３０との間で設けられたパーシステントコネクションを引き続き利用してリクエストパイプライニングを用いることができると認識される。これによって、通信端末２０から連続的にオブジェクトデータ送信要求が送信することができる。
【００５７】
さらに、本実施形態によれば、データ中継装置１０のリンク情報格納部１５においてリンク情報とダミーリンク情報とを対応付けた情報が格納される。これにより、通信端末２０からのダミーリンク情報に基づく（第１データサーバ３０に対する）オブジェクトデータ送信要求に対して、第２データサーバ４０にオブジェクトデータの送信を要求することでオブジェクトデータを取得し、通信端末２０に対して送信することができる。したがって、データ中継装置１０では、ダミーリンク情報に基づいて通信端末２０から送信されるオブジェクトデータ送信要求に対して、適切なデータサーバ（本実施形態では、第２データサーバ４０）からオブジェクトデータを取得して通信端末２０に対して送信することができる。
【００５８】
このように、本実施形態によれば、複数のサーバに保存される一連のデータを通信端末２０において速く受信することができ、ユーザに対してより速く出力することができる。また、この効果は、データ中継装置１０がＨＴＴＰを用いて通信端末２０及びデータサーバ（第１データサーバ３０、第２データサーバ４０）との間で通信を行う際に、より効果的に奏される。
【００５９】
以上、本発明の好適な実施形態について述べてきたが、本発明に係るデータ中継装置及びデータ中継方法は、上記の実施形態に限定されるものではなく、種々の態様を取ることが可能である。
【００６０】
例えば、上記実施形態では、通信端末２０が移動体通信網Ｎ１に対して通信を行う態様について説明しているが、上記実施形態は、無線・有線を問わず、ＨＴＴＰを用いたデータの送受信を中継する装置を介して通信を行う他の通信網に対しても適用することができる。
【００６１】
また、上記実施形態では、オブジェクトデータが保存されるサーバとして、第２データサーバ４０のみが示されているが、１つのＨＴＭＬ文書に含まれるオブジェクトデータが複数のデータサーバに分散して保存されていてもよい。この場合であっても、本実施形態と同様の処理により、オブジェクトデータに対するリンク情報に代えてダミーリンク情報をＨＴＭＬ文書中に埋め込むことで、複数のサーバに分散されて保持される一連のデータを通信端末が速く受信するという上記実施形態と同様の効果が得られる。
【００６２】
また、リンク情報変換処理部１３においてデータに含まれるリンク情報からダミーリンク情報を生成する場合、そのダミーリンク情報は、ダミーリンク情報において特定されるオブジェクトデータの保存場所が第１データサーバ３０となっていることが必要であるが、種々の変更を加えることができる。例えば、リンク情報がＵＲＬで記述されている場合、ドメインを第１データサーバ３０に変換してダミーリンク情報を生成するほか、ドメインを第１データサーバ３０に変換すると共にオブジェクトデータのファイル名を別名に変更したダミーリンク情報を生成してもよい。このダミーリンク情報の生成方法は、あらかじめデータ中継装置１０の管理者等により設定されることにより決められていることが好ましい。
【００６３】
また、上記実施形態では、ＨＴＭＬ文書のデータ中に記載されるリンク情報により特定される他のＨＴＭＬ文書（ウェブページ）は、リンク情報変換処理部１３によりダミーリンク情報が生成されデータに埋め込まれる対象ではないこととして説明しているが、他のＨＴＭＬ文書に対するリンク情報についてもダミーリンク情報を埋め込む対象とすることもできる。すなわち、例えば、タグ「<a href = “  ”>」で囲んで記載される他のＨＴＭＬ文書（ウェブページ）に対するリンク情報についても、リンク情報変換処理部１３においてダミーリンク情報を生成し、埋め込むことができる。この場合には、複数のサーバに保持される一連のデータを通信端末２０が速く受信するという上記実施形態と同様の効果が得られると共に、上記の他のＨＴＭＬ文書を取得するために必要な通信路（ＴＣＰコネクション）を開設する処理を省略することができるため、通信端末２０とデータ中継装置１０との間で新たな通信路の開設のために行われる通信を低減させることができ、他のＨＴＭＬ文書を通信端末が速く受信することができるという更なる効果が得られる。
【図面の簡単な説明】
【００６４】
【図１】本発明の好適な実施形態に係るデータ中継装置を含む通信制御システムの構成と、それらの接続関係を示す図である。
【図２】本発明の実施形態におけるデータ中継装置、第１データサーバ、及び第２データサーバのハードウェア構成を示す図である。
【図３】本発明の実施形態に係るデータ中継装置を含む通信制御システムにおけるデータ中継方法を説明するシーケンス図である。
【図４】データ中継装置のデータ受信部により受信されたデータの例と、このデータに対してリンク情報変換処理部によりダミーリンク情報が埋め込まれた例を示す図である。
【図５】データ中継装置のリンク情報格納部に格納される情報の例を示す図である。
【符号の説明】
【００６５】
１…通信システム、１０…データ中継装置、２０…通信端末、３０…第１データサーバ、４０…第２データサーバ。
【図１】
2010102509.tif 000003
【図２】
2010102509.tif 000004
【図３】
2010102509.tif 000005
【図４】
2010102509.tif 000006
【図５】
2010102509.tif 000007